(57)【特許請求の範囲】
【請求項１】
マスクを挟持して固定されるマスク装着具であって、
回動可能に連結される第１挟持部材及び第２挟持部材と、フィルタと、を有し、
前記第１挟持部材は、マスクの外面側に配置され、
前記第２挟持部材は、前記マスクの内面側に配置されると共に、前記フィルタを着脱可能なフィルタ装着部を有し、
前記フィルタは、芳香性又は防臭性のうち、少なくとも何れかの性質を有する、マスク装着具。
【請求項２】
前記フィルタは、芳香性を有し、
前記フィルタは、加圧により崩壊可能な１つ又は複数の粒状体を有し、
前記粒状体は、内容物と皮膜とを含み、前記内容物は、芳香性成分を有する、請求項１に記載のマスク装着具。
【請求項３】
前記第１挟持部材及び前記第２挟持部材は、顔面に沿った湾曲形状を有する、請求項１又は２に記載のマスク装着具。
【請求項４】
前記第１挟持部材及び前記第２挟持部材のうち少なくとも何れかは、挟持内面側に係止部を有する、請求項１〜３のいずれかに記載のマスク装着具。
【請求項５】
前記第１挟持部材は、外面側に装飾具を着脱可能な装飾部を有する、請求項１〜４のいずれかに記載のマスク装着具。
【発明の詳細な説明】
【技術分野】
【０００１】
本発明は、マスク装着具に関する。
【背景技術】
【０００２】
従来、使用者の口と鼻周辺を被覆するように装着することにより、空気中の異物が体内に侵入することを軽減するマスクが知られている。一般的なマスクとしては、ガーゼや不織布を用いた平型マスク、前面がプリーツ状であるプリーツ型マスク、使用者の顔の形に合うように形成された立体型マスク等が知られている。
【０００３】
特に最近では、感染症への感染予防や花粉症対策のため、多くの人が外出等の際にマスクを着用するケースが増大している。しかし、長時間にわたってマスクを装着する場合、使用者に対して臭気等の不快感を与える問題がある。そこで、脱臭効果を有する繊維を用いてマスクを形成する技術が知られている（例えば、特許文献１参照）。
【先行技術文献】
【特許文献】
【０００４】
【特許文献１】特開２００９−２０１６３４号公報
【発明の概要】
【発明が解決しようとする課題】
【０００５】
特許文献１に開示された技術は、マスク自体を、脱臭効果を有する繊維を用いて構成するため、製造コストが高くなる問題がある。また、マスクを長時間装着する機会が近年増えたことから、マスクを装着する際に、使用者の好みに応じた美観をマスクに付与したいというニーズもある。しかし、従来の技術では、上記のような課題に対応することは困難であった。
【０００６】
本発明は、上記に鑑みてなされたものであり、既存のマスクに対して芳香又は防臭効果を付与でき、使用者の好みに応じた美観が得られるマスク装着具を提供することを目的とする。
【課題を解決するための手段】
【０００７】
（１）  本発明は、マスクを挟持して固定されるマスク装着具であって、回動可能に連結される第１挟持部材及び第２挟持部材と、フィルタと、を有し、前記第１挟持部材は、マスクの外面側に配置され、前記第２挟持部材は、前記マスクの内面側に配置されると共に、前記フィルタを着脱可能なフィルタ装着部を有し、前記フィルタは、芳香性又は防臭性のうち、少なくとも何れかの性質を有する、マスク装着具に関する。
【０００８】
（１）の発明によれば、既存のマスクに対して芳香又は防臭効果を付与でき、使用者の好みに応じた美観が得られるマスク装着具を提供できる。
【０００９】
（２）  前記フィルタは、芳香性を有し、前記フィルタは、加圧により崩壊可能な１つ又は複数の粒状体を有し、前記粒状体は、内容物と皮膜とを含み、前記内容物は、芳香性成分を有する、（１）に記載のマスク装着具。
【００１０】
（２）の発明によれば、既存のマスクに対して使用者の好みに応じた芳香効果を付与することができる。
【００１１】
（３）  前記第１挟持部材及び前記第２挟持部材は、顔面に沿った湾曲形状を有する、（１）又は（２）に記載のマスク装着具。
【００１２】
（３）の発明によれば、マスク装着具を装着した際に、マスク装着具が使用者に当接する圧力を分散でき、長時間にわたって違和感なくマスク装着具を使用できる。
【００１３】
（４）  前記第１挟持部材及び前記第２挟持部材のうち少なくとも何れかは、挟持内面側に係止部を有する、（１）〜（３）のいずれかに記載のマスク装着具。
【００１４】
（４）の発明によれば、マスク装着具のズレを防止でき、長時間にわたって好ましくマスク装着具を使用できる。
【００１５】
（５）  前記第１挟持部材は、外面側に装飾具を着脱可能な装飾部を有する、（１）〜（４）のいずれかに記載のマスク装着具。
【００１６】
（５）の発明によれば、使用者の好みに応じてマスク装着具を装飾できる。
【図面の簡単な説明】
【００１７】
【図１】本発明の実施形態に係るマスク装飾具の使用状態を示す図である。
【図２】本発明の実施形態に係るマスク装飾具を示す上面図である。
【図３】本発明の実施形態に係るマスク装飾具を示す斜視図である。
【図４】本発明の実施形態に係るマスク装飾具を示す斜視図である。
【図５】本発明の実施形態に係るマスク装飾具を示す斜視図である。
【図６】本発明の他の実施形態に係るマスク装飾具を示す斜視図である。
【発明を実施するための形態】
【００１８】
《第１実施形態》
以下、本発明の一実施形態について図面を参照しながら説明する。本発明の内容は以下の実施形態の記載に限定されない。
【００１９】
＜マスク装着具＞
本実施形態に係るマスク装着具１は、図２に示すように、第１挟持部材２と、第２挟持部材３と、フィルタＦと、を有する。第１挟持部材及び第２挟持部材は、回動可能に連結される。図１は、マスク装着具１の使用者（以下、単に「使用者」と記載する場合がある）がマスク装着具１をマスクＭに装着した状態を示す状態図である。マスク装着具１は、第１挟持部材２と、第２挟持部材３とでマスクＭを挟持することで、マスクＭに固定される。マスクＭとしては特に限定されず、既存のマスクを用いることができる。
【００２０】
第１挟持部材２は、使用者がマスク装着具１を装着した際に、マスクＭの外面側に配置される部材である。第１挟持部材２は、図４及び図５に示すように、本体部２０と、連結部２２と、を有する。第１挟持部材２は、長手方向と短手方向とを有する部材であり、図２に示すように、長手方向が使用者の顔面に沿って湾曲する湾曲形状を有する。第１挟持部材２は、一体に形成されることが製造コストの観点から好ましい。第１挟持部材２を構成する材質は特に制限されず、例えばＰＰ、ＰＥ等の公知の樹脂材料により構成することができるが、生分解性プラスチックにより構成することが環境調和性の観点から好ましい。
【００２１】
本体部２０は、一端側に係止部２１を有し、他端側に把持部２３を有する。本体部２０は、例えば係止部２１において、第２挟持部材３の一部と当接するように付勢されて、マスクＭを挟持する。
【００２２】
本体部２０は、挟持外面側が外部に露出するように配置される。本体部２０の挟持外面側は、使用者の好みに応じて、模様、文字、ロゴマーク、キャラクターデザイン等により装飾されていてもよい。
【００２３】
係止部２１は、本体部２０の一端側の挟持内面側に配置される。係止部２１は、例えば図４に示すように、第１挟持部材２の長手方向に沿って線状に形成される複数の凹凸形状からなる。図４は、第１挟持部材２を、使用者がマスク装着具１を装着した際に使用者側から見た図である。係止部２１により、マスクＭにマスク装着具１を装着した際の、マスク装着具１の短手方向への移動が規制される。係止部２１の形状としては、図４に示すものに限定されず、市松状に形成される凹凸形状であってもよいし、その他の凹凸形状であってもよい。また、係止部２１を摩擦力の大きい弾性材等の別部材で構成してもよい。
【００２４】
連結部２２は、後述する第２挟持部材３の連結部３２と回動可能に連結される。連結部２２と連結部３２とは、軸部を中心に連結され、軸部の外周には、例えばコイルバネ等の付勢部材（図示せず）が券回されている。上記コイルバネ等の付勢部材は、第１挟持部材２と第２挟持部材３に固定され、係止部２１と第２挟持部材３との挟持間隙が狭くなる方向に第１挟持部材２と第２挟持部材３とを付勢している。これにより、第１挟持部材２と第２挟持部材３との間にマスクＭを挟持し、マスクＭとマスク装着具１とを固定できる。
【００２５】
把持部２３は、係止部２１に対して他端側に配置される。使用者が把持部２３と、後述する第２挟持部材の把持部３３との間隔が狭くなるように力を加えることで、係止部２１と第２挟持部材３との挟持間隙を広げ、マスクＭに対してマスク装着具１を着脱できる。
【００２６】
第２挟持部材３は、使用者がマスク装着具１を装着した際に、マスクＭの内面側に配置される部材である。第２挟持部材３は、芳香性又は防臭性を有するフィルタＦを着脱可能な、フィルタ装着部３１を有する。これにより、マスク装着具１は、既存のマスクＭに対して芳香性又は防臭性を付与することができる。第２挟持部材３は、上記以外に、本体部３０と、連結部３２と、を有する。
【００２７】
第２挟持部材３は、第１挟持部材２と同様に、長手方向と短手方向とを有する部材であり、図２に示すように、長手方向が使用者の顔面に沿って湾曲する湾曲形状を有する。第１挟持部材２と第２挟持部材３が共に上記湾曲形状を有することで、マスク装着具１を装着した際に、マスク装着具１が使用者に当接する圧力を低減又は分散でき、長時間にわたって違和感なくマスク装着具１を使用できる。また、第２挟持部材３は、第１挟持部材２と同様に、例えば生分解性プラスチック等の樹脂材料により一体に形成されることが好ましい。
【００２８】
本体部３０は、一端部において係止部２１と当接するように付勢され、他端部に把持部３３を有する。把持部３３の構成は、把持部２３と同様である。
【００２９】
フィルタ装着部３１は、例えば第２挟持部材３の挟持外面である、使用者の顔面に当接する側に設けられる。フィルタ装着部３１は、図２に示すように、使用者の顔面に沿って湾曲する湾曲形状を有する。フィルタ装着部３１は、フィルタＦを着脱可能に構成される。フィルタ装着部３１は、例えば、ガイド爪３１１及び３１２及び、ストッパ３１３を有する。
【００３０】
ガイド爪３１１及び３１２及び、ストッパ３１３は、フィルタＦを着脱可能に保持する。ガイド爪３１１及び３１２は、フィルタＦの幅方向の大きさに応じて、所定の間隔を有して本体部３０から略垂直方向に突出し、かつ互いの先端が対向するように屈曲されて形成される。ストッパ３１３は、ガイド爪３１１と３１２の間の空間端部に、本体部３０の長辺方向に沿って、本体部３０から略垂直方向に突出して形成される。ストッパ３１３の先端も、ガイド爪３１１及び３１２と同様に屈曲されて形成される。上記構成により、図３に示すように、フィルタＦを、ガイド爪３１１と３１２の間の、ストッパ３１３が形成された側とは逆側の矢印方向から挿入することで、フィルタＦをマスク装着具１に装着できる。また、図３の矢印方向とは逆方向にフィルタＦを抜出することで、フィルタＦをマスク装着具１から脱離できる。
【００３１】
フィルタＦは、芳香性又は防臭性のうち、少なくとも何れかの性質を有する。フィルタＦは、フィルタ装着部３１のガイド爪３１１と３１２との間の間隔に応じた所定の幅を有し、例えば図３に示すように、平面視で方形形状を有する。フィルタＦは、把持部Ｆ１と、本体部Ｆ２とを有し、フィルタＦがフィルタ装着部３１に収容された状態で、把持部Ｆ１がマスク装着具１の外部に延出していてもよい。これにより、使用者は容易にフィルタＦをマスク装着具１から抜出して脱離できる。
【００３２】
フィルタＦは、例えば不織布等の通気性及び可撓性を有する材質により構成され、内部に芳香性又は防臭性のうち、少なくとも何れかの性質を有する１つ又は複数の粒状体Ｓが本体部Ｆ２に封入されている。本実施形態において、粒状体Ｓを、芳香性を有する粒状体であるものとして、以下に説明する。
【００３３】
芳香性を有する粒状体Ｓは、内容物と皮膜とからなる粒状体であり、使用者がフィルタＦを介して加圧することで崩壊可能に構成される。粒状体Ｓは、加圧により皮膜が破裂して、内容物が外部に放出される。内容物は、例えば揮発性の芳香性成分を含んでおり、内容物が外部に放出されることで、マスクＭの内部にユーザの好みに応じた香りを充満させることができる。上記芳香性を有する粒状体Ｓとしては、市販されている芳香性成分を内包したシームレスカプセルを用いることができる。芳香性成分としては、特に限定されず、従来公知の天然香料、合成香料のいずれを用いてもよい。芳香性成分は、１種又は２種以上を混合させて使用できる。
【００３４】
天然香料の例としては、特に限定されないが、例えば、オレンジ、ネロリ、マンダリン、プチグレン、ベルガモット、タンゼリン、温州ミカン、シナモン、ダイダイ、ハッサク、イヨカン、レモン、ライム、グレープフルーツ、ユズ、スダチ、カボス、スウィーティー、ラズベリー、グーズベリー、イチゴ、クランベリー等のベリー類、グレープ、シトロネラ、エレミ、オリバナム、マジョラム、アンゼリカルート、スターアニス、バジル、ヘイ、カラマス、キャラウェイ、カルダモン、ペッパー、カスカリラ、ジンジャー、セージ、クラリセージ、クローブ、コリアンダー、ユーカリ、フェンネル、ピメント、ジュニパー、フェネグリーク、ローレル、メース、スギ、センキュウ、アーモンド、アニス、アルテミシア、アルファルファ、アンズ、アンブレット、イグサ、イチジク、イランイラン、ウインターグリーン、ウメ、エルダー、エンジュ、オークモス、オールスパイス、オリス、カラント、カッシー、カモミール、ガランガ、カリン、グァバ、クスノキ、クチナシ、クベバ、クミン、コーラ、サンショウ、サンダラック、サンダルウッド、サンダルレッド、シソ、シベット、ジャスミン、ジンセン、スターフルーツ、スチラックス、スペアミント、アップルミント、ペパーミント、ゼラニウム、タイム、ダバナ、タンジー、チャンパカ、チュベローズ、ツバキ、ディタニー、トルーバルサム、トンカ、ナッツ、ナツメ、ナツメグ、ナンテン、ニアウリ、ニンジン、バイオレット、パイナップル、ハイビスカス、ハチミツ、ハッカ、パッションフルーツ、バニラ、ローズ、ヒソップ、ヒノキ、フーゼル油、ブチュ、ペピーノ、ベルベナ、ボアドローズ、ポポー、ボルドー、ボロニア、マツ、マンゴー、ミツロウ、ミモザ、ミルフォイル、ムスク、メープル、メリッサ、メロン、モモ、ヤラヤラ、ラベンダー、リツェア、リンデン、ルー、レンブ、ローズマリー、ロベージ、バニラ、コーヒー、チョコレート等のオイルが挙げられる。
【００３５】
合成香料としては、従来から芳香性を付与する目的で使用されているものであれば特に制限されず、例えば、エステル類、アルコール類、アルデヒド類、ケトン類、フェノール類、エーテル類、ラクトン類、炭化水素類、含窒素化合物、含硫化合物類、酸類等が挙げられる。
【００３６】
芳香性を有する粒状体Ｓは、本体部Ｆ２に複数封入されることが好ましい。これにより、１つの粒状体Ｓを崩壊させて発生した芳香が弱まった場合に、他の粒状体Ｓを崩壊させることで、芳香性を長時間持続させることができる。従って、例えば１日中フィルタＦを交換することなく、芳香性を持続させることができる。
【００３７】
上記以外に、粒状体Ｓとしては、防臭効果を有するものであってもよい。このような防臭性を有する粒状体としては、特に制限されず、例えば活性炭やゼオライト等の多孔性物質を用いることができる。また、銀、銅、亜鉛等の防臭抗菌性を有する金属を、単独で又は上記多孔性物質に担持させて用いてもよい。
【００３８】
以下、本発明の他の実施形態について説明する。上記第１実施形態と同様の構成については、説明を省略する場合がある。
【００３９】
《第２実施形態》
第２実施形態に係るマスク装着具１ａは、図６に示すように、外部に露出する挟持外面側に、装飾部としての孔部２０１と、係合部２０２と、を備える本体部２０ａを有する。孔部２０１及び係合部２０２は、使用者の好みに応じた装飾具をマスク装着具１ａに着脱するために用いられる。上記装飾具としては、特に限定されないが、缶バッジ、ピンバッジ、又はピアス等のアクセサリーが挙げられる。本体部２０ａにより、使用者の好みに応じてマスク装着具１ａを装飾することができる。
【００４０】
孔部２０１は、第１挟持部材２の厚み方向に貫通する孔部である。係合部２０２は、図６に示すように、例えば本体部２０ａの表面側からＵ字状に突出し、装飾具を挿通可能な孔部を有する。孔部２０１及び係合部２０２に対し、使用者の好みに応じた装飾具を着脱できる。装飾部としての孔部２０１及び係合部２０２は、少なくとも何れかが設けられていればよく、両方が設けられていてもよい。また、複数の孔部２０１及び係合部２０２が設けられていてもよい。
【００４１】
以上、本発明の好ましい実施形態について説明したが、本発明の内容は上記実施形態に限定されず、適宜変更が可能である。
【００４２】
上記実施形態では、第１挟持部材２の挟持内面側に係止部２１を有するものとして説明した。上記に限定されない。係止部は第２挟持部材３の挟持内面側に形成されていてもよいし、第１挟持部材２と第２挟持部材３の両方の挟持内面側に形成されていてもよい。
【００４３】
上記実施形態では、フィルタ装着部３１を、第２挟持部材３の挟持外面である、使用者の顔面に当接する側に設けられるものとして説明した。上記に限定されない。フィルタ装着部３１は、第２挟持部材３の挟持内面に設けられていてもよい。
【符号の説明】
【００４４】
１、１ａ      マスク装着具
２            第１挟持部材
２１          係止部
３            第２挟持部材
３１          フィルタ装着部
Ｆ            フィルタ
Ｓ            粒状体
【要約】
【課題】既存のマスクに対して芳香又は防臭効果を付与でき、使用者の好みに応じた美観が得られるマスク装着具を提供すること。
【解決手段】マスクを挟持して固定されるマスク装着具であって、回動可能に連結される第１挟持部材及び第２挟持部材と、フィルタと、を有し、第１挟持部材は、マスクの外面側に配置され、第２挟持部材は、マスクの内面側に配置されると共に、フィルタを着脱可能なフィルタ装着部を有し、フィルタは、芳香性又は防臭性のうち、少なくとも何れかの性質を有する、マスク装着具。
【選択図】図３【図１】
0006808262.tif 000002
【図２】
0006808262.tif 000003
【図３】
0006808262.tif 000004
【図４】
0006808262.tif 000005
【図５】
0006808262.tif 000006
【図６】
0006808262.tif 000007